(57)【特許請求の範囲】
【請求項１】
車輌の走行距離を積算する走行距離積算計と、車輌に搭載されたエンジンの運転時間を積算する運転時間積算計と、オイル交換時期を告知するオイル交換告知手段と、前記走行距離積算計と運転時間積算計からの信号に基づいて、これらの積算値の何れか一方が、予め設定された設定値を超えた際に、前記オイル交換告知手段を起動して、オイル交換時期を告知する制御手段とによって構成され、
前記制御手段には、前記走行距離の積算値と運転時間の積算値とのそれぞれに、異なる複数の設定値が記憶されているとともに、前記制御手段が、小さい設定値を超えてオイル交換がなされた際に、オイル交換信号を受けて、前記設定値をつぎに大きな設定値に順次書き換えるようになされており、
前記オイル交換信号が、車輌に設けられたリセットスイッチを操作することによって発生させられるようになされていることを特徴とする車輌におけるオイル交換時期表示装置。
【発明の詳細な説明】
【０００１】
【発明の属する技術分野】
本発明は、車輌におけるオイル交換時期表示装置に関するものである。
【０００２】
【従来の技術】
従来、車輌では、エンジンの潤滑等を行うオイルの劣化を補うために、このオイルを交換することが行われている。
そして、このようなオイルの交換時期を告知する方法として、たとえば、特公平２−１６８４９号公報や、特開昭５９−９７８４号公報において提案されている。
【０００３】
前者は、オイル劣化センサを設けておき、オイルの劣化を直接認識して交換時期を表示するものであり、後者は、オイルが実際に使用に供された時間を積算して、この積算時間を目安にしてオイルの交換時期を表示するものである。
【０００４】
【発明が解決しようとする課題】
ところで、このような従来の技術においては、つぎのような改善すべき点が残されている。
【０００５】
すなわち、前者のように、オイルの劣化を直接センサで認識する場合にあっては、システムが複雑になり、高コストとなるといった点である。
また、後者のように、使用の積算時間を目安にしてオイルの交換時期を設定する場合にあっては、交換時期におけるオイルの劣化にばらつきが生じるといった点である。
すなわち、短時間で長距離走行をした場合と、アイドリング状態で長い時間放置した場合とではオイルの劣化度合いが大きく異なる。
【０００６】
本発明は、このような従来の問題点に鑑みてなされたもので、オイル交換時期を、オイルの劣化度合に極力合わせて告知することの可能な車輌におけるオイル交換時期表示装置を提供することを目的とする。
【０００７】
【課題を解決するための手段】
本発明の請求項１に記載の車輌におけるオイル交換時期表示装置は、前述した目的を達成するために、車輌の走行距離を積算する走行距離積算計と、車輌に搭載されたエンジンの運転時間を積算する運転時間積算計と、オイル交換時期を告知するオイル交換告知手段と、前記走行距離積算計と運転時間積算計からの信号に基づいて、これらの積算値の何れか一方が、予め設定された設定値を超えた際に、前記オイル交換告知手段を起動して、オイル交換時期を告知する制御手段とによって構成され、前記制御手段には、前記走行距離の積算値と運転時間の積算値とのそれぞれに、異なる複数の設定値が記憶されているとともに、前記制御手段が、小さい設定値を超えてオイル交換がなされた際に、オイル交換信号を受けて、前記設定値をつぎに大きな設定値に順次書き換えるようになされており、前記オイル交換信号が、車輌に設けられたリセットスイッチを操作することによって発生させられるようになされていることを特徴とする。
【０００８】
【発明の実施の形態】
以下、本発明の一実施形態について、図面を参照して説明する。
図１は、本実施形態の概略を示すシステム構成図であり、車輌の走行距離を積算する走行距離積算計１と、エンジンの運転時間を積算する運転時間積算計２と、オイル交換時期を告知するオイル交換告知手段３と、前記走行距離積算計１と運転時間積算計２からの検出信号に基づいて、前記オイル交換告知手段３の起動を制御する制御手段としてのマイクロコンピュータ４とによって構成されている。
【０００９】
前記オイル交換告知手段３は、車輌に搭載されている計器盤Ｉの一部に、「ＯＩＬ  ＣＨＡＮＧＥ」の表示を設け、かつ、計器盤Ｉの裏面に設けたランプ（図示略）によって、前記表示を浮き上がらせるように構成したものである。
そして、前記計器盤Ｉには、車輌速度をキロメートルとマイルとで切り替え表示する速度表示部５と、積算走行距離と任意の時点からの走行距離とを切り替え表示する走行距離表示部６と、時刻と走行時間とを切り替え表示する時間表示部７と、シフトポジションの表示を行うシフトポジション表示部８と、ギアが後退位置に位置させられていることを表示するリバース表示灯９と、ギアがニュートラルに位置させられていることを表示するニュートラル表示灯１０と、エンジンオイルが所定温度に達したことを表示する油温警告灯１１と、前記走行距離表示部６の表示切り替えをなす距離表示切り替えスイッチ１２と、前記時間表示部７の表示切り替えをなす時間表示切り替えスイッチ１３と、前記時間表示部７における「時」の調整を行う時間リセットボタン１４と、「分」の調整を行う分リセットボタン１５が、それぞれ設けられている。
【００１０】
前記マイクロコンピュータ４には、走行距離の積算値Ｌのオイル交換時期に対応する設定値Ｌ１と、エンジン運転時間の積算値Ｔのオイル交換時期に対応する積算値Ｔ１とが記憶されており、これらの走行距離の積算値Ｌと前記設定値Ｌ１との比較、および、エンジン運転時間の積算値Ｔと設定値Ｔ１との比較を行い、その比較結果に基づいて、前記オイル交換告知手段３を制御するようになっている。
前記走行距離の積算値Ｌに対応して設定される設定値Ｌ１は、時間を度外視した、走行距離とオイルの劣化度合いとの関係において設定され、また、エンジン運転時間の積算値Ｔに対応して設定される設定値Ｔ１は、走行距離を度外視した、運転時間とオイルの劣化度合いとの関係において設定される。
【００１１】
次いで、このように構成された本実施形態の作用について、図２に示すフローチャートを参照して説明する。
【００１２】
車輌のエンジンが始動されると、走行距離積算計１および運転時間積算計２が起動されて、それぞれ、走行距離と運転時間の積算が開始されるとともに、マイクロコンピュータ４において、これらの積算値Ｌと積算値Ｔと、予め記憶されている設定値Ｌ１と設定値Ｔ１との比較が継続して行われる（ステップＳ１およびステップＳ２）。
【００１３】
そして、これらのステップＳ１あるいはステップＳ２において、何れかの積算値Ｌ（Ｔ）がそれに対応する設定値Ｌ１（Ｔ１）を越えた場合に、オイル交換告知手段３を点灯させて（ステップＳ３）、使用者にオイルの交換時期を告知する。
【００１４】
このように、本実施形態においては、オイルの劣化度合いを車輌の走行距離とエンジンの運転時間との両方から監視することとなり、オイルの交換時期を、オイルの劣化度合いに極力合わせて告知することができる。
しかも、そのシステムを、極めて簡素な構成で構築することができる。
【００１５】
一方、前記各設定値Ｌ１・Ｔ１を、複数設定しておくことも可能である。
たとえば、設定値Ｌ１および設定値Ｔ１を小さく設定し、これより大きい設定値Ｌ２および設定値Ｔ２を設定しておき、２回目のオイル交換時期を長めに設定するようにすることもできる。
【００１６】
このように、複数の設定値を設定した場合における作用について、図２に示すフローチャートを参照して説明する。
【００１７】
ステップＳ３までの処理は、前記実施形態と同様であり、この設定値Ｌ１および設定値Ｔ１によってオイル交換の告知がなされた後に、使用者によってオイル交換を行ったことを入力する行為（たとえば、前記オイル交換告知手段３に設けられたリセットスイッチを押すことによって行われる）がなされたことを条件として（ステップＳ４）、マイクロコンピュータ４において、記憶されている前記設定値Ｌ１および設定値Ｔ１を設定値Ｌ２および設定値Ｔ２に書き換える（ステップＳ５およびステップＳ６）。
【００１８】
そして、走行距離の積算と運転時間の積算を継続して行い、これらの積算値Ｌおよび積算値Ｔと前記書き換えられた設定値Ｌ２および設定値Ｔ２との比較を行い（ステップＳ７およびステップＳ８）、何れか一方の積算値Ｌ（Ｔ）が、対応する設定値Ｌ２（Ｔ２）を越えた場合に、オイル交換告知手段３を点灯させて（ステップＳ９）、オイル交換時期を告知する。
【００１９】
なお、前記実施形態において示した各構成部材の諸形状や寸法等は一例であって、設計要求等に基づき種々変更可能である。
【００２０】
【発明の効果】
以上説明したように、本発明の車輌におけるオイル交換時期表示装置によれば、オイルの劣化度合いを、車輌の走行距離の積算値とエンジンの運転時間の積算値との両方から監視することにより、実際のオイルの劣化具合に極力対応したオイル交換時期を告知することができる。
しかも、簡素なシステムによって前述したオイル交換時期の告知を行うことができる。
【図面の簡単な説明】
【図１】本発明の一実施形態を示すシステム構成図である。
【図２】本発明の作用を説明するためのフローチャートである。
【符号の説明】
１  走行距離積算計
２  運転時間積算計
３  オイル交換告知手段
４  マイクロコンピュータ（制御手段）
５  速度表示部
６  走行距離表示部
７  時間表示部
８  シフトポジション表示部
９  リバース表示灯
１０  ニュートラル表示灯
１１  油温警告灯
１２  距離表示切り替えスイッチ
１３  時間表示切り替えスイッチ
１４  時間リセットボタン
１５  分リセットボタン
Ｉ  計器盤
【図１】
0003910006.tif 000002
【図２】
0003910006.tif 000003